(57)【要約】【課題】もぐさを使用することなくお灸と同様あるいはそれ以上の効果を与えることのできる温灸器具を提供することである。【解決手段】  施灸部（患部またはツボ）に温熱及び冷熱刺激を与える球状人工鉱石１０と、底面に孔を開けた筒状木製容器２０と、当該容器２０から前記球状人工鉱石１０が放出することを防止する木製上蓋３０とから構成され、当該容器２０に前記球状人工鉱石１０を収納したときに当該容器２０の底面から前記球状人工鉱石１０の一部が露出する多機能温灸器具１を提供することである。【選択図】図１
2011161114.tif 000002
【特許請求の範囲】
【請求項１】
球状基材と、
底面に当該球状基材の外径よりも小さな内径の孔を設けた筒状耐熱容器と、
当該筒状耐熱容器の上端と接合する耐熱上蓋と、
を有し、
当該筒状耐熱容器に当該球状基材を収納したときに当該筒状耐熱容器の底面から当該球状基材の一部が露出する
多機能温灸器具。
【発明の詳細な説明】
【技術分野】
【０００１】
本願発明は、多機能温灸器具に関するものである。
【背景技術】
【０００２】
お灸による効果には、自律神経の調整、リンパ腺の活性化、内分泌の活性化、血流の増加などがある。
【０００３】
お灸を施す方法としては、適量のもぐさを直接施灸部（患部またはツボ）に載せて点火し透熱刺激を与える方法（直接灸）やもぐさを容器等に入れて燃焼させ過熱された外面を施灸部に押し当て温熱刺激を与える方法（間接灸）がある。
【０００４】
間接灸を行なうための温灸器具として、様々な温灸器具が考案されている。例えば、特開平９−３８１７１（特許文献１）である。
【０００５】
しかし、もぐさを使用する温灸器具は、火を使用するため注意を要する（火傷及び周辺物への飛び火など）。
【０００６】
また、煙が発生することについての問題点もあった。
【先行技術文献】
【特許文献】
【０００７】
【特許文献１】特開平９−３８１７１号公報
【発明の概要】
【発明が解決しようとする課題】
【０００８】
上述したように、もぐさを使用する温灸器具は、火および煙に関して注意を要する。
【０００９】
そこで本願発明の多機能温灸器具が解決しようとする課題は、もぐさを使用することなくお灸と同様あるいはそれ以上の効果を与えることのできる温灸器具を提供することである。
【００１０】
また、同一の温灸器具で、温灸以外の他の活用もできる多機能温灸器具を提供することである。
【課題を解決するための手段】
【００１１】
本願発明の温灸器具は、球状基材と、底面に当該球状基材の外径よりも小さな内径の孔を設けた筒状耐熱容器と、当該筒状耐熱容器の上端と接合する耐熱上蓋とを有し、当該筒状耐熱容器に当該球状基材を収納したときに当該筒状耐熱容器の底面から当該球状基材の一部が露出する多機能温灸器具を提供する。
【発明の効果】
【００１２】
本願発明の多機能温灸器具は、火を使わないので火および煙に関しての注意は不要である。
【００１３】
また、本願発明の多機能温灸器具により、従来与えることのできなかった鉱石による高温刺激を施灸部に与えることが可能となり、自律神経の調整、リンパ腺の活性化、内分泌の活性化、血流の増加などのお灸と同様のあるいはそれ以上の効果が得られる。
【００１４】
また、本願発明の多機能温灸器具は、冷却器具としても使用可能であるので、鉱石による冷熱刺激を施灸部に与えることが可能となり、自律神経の調整、リンパ腺の活性化、内分泌の活性化、血流の増加、頭痛の改善などの効果が得られる。さらに火傷の初期処置やアイシングなどにも活用可能である。
【００１５】
また、本願発明の多機能温灸器具は、保温寝具としても使用可能であるので、湯たんぽのようにも活用可能である。
【図面の簡単な説明】
【００１６】
【図１】図１は、多機能温灸器具を横から見たイメージ図である。
【図２】図２は、実施例１の筒状耐熱容器内を上から見た図である。
【図３】図３は、保温寝具として使用するときのイメージ図である。
【図４】図４は、実施例２の筒状耐熱容器内を上から見た図である。
【発明を実施するための形態】
【００１７】
本願発明の多機能温灸器具を温灸器具として使用する。
【実施例１】
【００１８】
図１、図２、図３は、多機能温灸器具の一実施例であり、その構成を、図１及び図２に従い説明する
【００１９】
多機能温灸器具（１）は、外径が５０ｍｍの球状人工鉱石（１０）と、当該球状人工鉱石（１０）を収納する底面に内径３５ｍｍの孔を設けた上面視楕円形筒状木製容器（２０）と、当該上面視楕円形筒状木製容器（２０）の上端と接合する木製上蓋（３０）とからなる。
【００２０】
なお、球状基材の素材として人工鉱石を使用しているが、天然石やセラミックであっても良い。
【００２１】
なお、球状人工鉱石（１０）の外径に限定はないが、温灸器具として使用することを考慮すれば手の中に納まる程度の大きさであることが好ましく、５０ｍｍ〜１００ｍｍ程度である。
【００２２】
なお、前記上面視楕円形筒状木製容器（２０）の上部内径（短軸の長さ）は、前記球状人工鉱石（１０）の外径よりも大きければ良いが、好ましくは前記球状人工鉱石（１０）の外径よりもプラス５ｍｍ程度である。
【００２３】
なお、前記上面視楕円形筒状木製容器（２０）の底面孔の内径は、前記球状人工鉱石（１０）の外径よりも小さければ良いが、好ましくは前記球状人工鉱石（１０）を前記上面視楕円形筒状木製容器（２０）に収納したときに先端が１０ｍｍ〜２０ｍｍ程度露出するように調整する。
【００２４】
なお、筒状耐熱容器の素材として天然樹木を使用しているが、耐熱性に優れている素材であれば、人工木材や耐火性プラスチックであっても良い。
【００２５】
なお、耐熱上蓋の素材として天然樹木を使用しているが、耐熱性に優れている素材であれば、人工木材や耐火性プラスチックであっても良い。
【００２６】
なお、前記上面視楕円形筒状木製容器（２０）の上端と前記木製上蓋（３０）との接合は、前記上面視楕円形筒状木製容器（２０）側の雌ねじ部に前記木製上蓋（３０）側の雄ねじ部を螺入して接合しているが、簡単に閉めることができて動作中に開かない周知の接合（例えば、嵌合など）に変更する場合もあり得る。
【００２７】
多機能温灸器具（１）の動作について、まずは温灸器具として使用する場合について、図１及び図２に従い説明する。
【００２８】
球状人工鉱石（１０）を電子レンジで１分程度加熱する。
【００２９】
加熱した前記球状人工鉱石（１０）は、表面が２０℃から２００℃程度にまで温度が上昇する。
【００３０】
なお、前記球状人工鉱石（１０）は、温度が上昇することにより４〜１２ミクロン遠赤外線を放射する。
【００３１】
加熱した前記球状人工鉱石（１０）を上面視楕円形筒状木製容器（２０）に収納し、木製上蓋（３０）を閉める。
【００３２】
前記上面視楕円形筒状木製容器（２０）の底面から一部が露出した前記球状人工鉱石（１０）を施灸部にタオルなどをあてたうえで押し当て、温熱刺激を与える。
【００３３】
また、前記球状人工鉱石（１０）を施灸部に、押し当てたり引き離したりすることで前記球状人工鉱石（１０）の自重により、圧刺激を与えることもできる（指圧と同様）。
【００３４】
なお、前記球状人工鉱石（１０）への加熱時間は、前記球状人工鉱石（１０）の大きさや種類などに応じて変動し得る。
【００３５】
なお、前記球状人工鉱石（１０）への加熱手段は、電子レンジだけに限られず各種加熱機器を使用したり湯銭などでも良い。
【００３６】
次に冷却器具として使用する場合について、図１及び図２に従い説明する。
【００３７】
球状人工鉱石（１０）を冷凍庫で５分以上冷却する。
【００３８】
冷却した前記球状人工鉱石（１０）は、表面が２０℃から−２０℃程度にまで温度が低下する。
【００３９】
冷却した前記球状人工鉱石（１０）を上面視楕円形筒状木製容器（２０）に収納し、木製上蓋（３０）を閉める。
【００４０】
前記上面視楕円形筒状木製容器（２０）の底面から一部が露出した前記球状人工鉱石（１０）を施灸部に直接押し当て、アイシングする。
【００４１】
なお、前記球状人工鉱石（１０）への冷却時間は、前記球状人工鉱石（１０）の大きさや種類などに応じて変動し得る。
【００４２】
なお、前記球状人工鉱石（１０）への冷却手段は、冷凍庫だけに限られず各種加熱機器を使用したり外気にさらすなどでも良い。
【００４３】
次に保温寝具として使用する場合について、図３に従い説明する。
【００４４】
球状人工鉱石（１０）を電子レンジで１分程度加熱する。
【００４５】
加熱した前記球状人工鉱石（１０）は、表面が２０℃から２００℃程度にまで温度が上昇する。
【００４６】
加熱した前記球状人工鉱石（１０）を上面視楕円形筒状木製容器（２０）に収納し、木製上蓋（３０）を閉める。
【００４７】
加熱した前記球状人工鉱石（１０）を収納し、木製上蓋（３０）を閉めた前記上面視楕円形筒状木製容器（２０）（以下、多機能温灸器具（１）という。）を布製袋（４０）に収納する。
【００４８】
布製袋（４０）に収納した多機能温灸器具（１）を布団内に入れると湯たんぽの様に使える。
【００４９】
なお、前記球状人工鉱石（１０）への加熱時間は、前記球状人工鉱石（１０）の大きさや種類などに応じて変動し得る。
【００５０】
なお、前記球状人工鉱石（１０）への加熱手段は、電子レンジだけに限られず各種加熱機器を使用したり湯銭などでも良い。
【実施例２】
【００５１】
図４は、多機能温灸器具の他の実施例であり、その構成を、図４に従い説明する
【００５２】
多機能温灸器具（１）は、外径が５０ｍｍの球状人工鉱石（１０）と、当該球状人工鉱石（１０）を収納する底面に内径３５ｍｍの孔を設けた上面視円形筒状木製容器（２０）と、当該上面視楕円形筒状木製容器（２０）の上端と接合する木製上蓋（３０）とからなる。
【００５３】
動作については実施例１と同様であるので省略する。
【産業上の利用可能性】
【００５４】
本願発明の多機能温灸器具は、簡単な構造でありながら多機能（温灸器具、冷却器具及び保温寝具などの機能）であり、利便性を飛躍的に向上させる器具であるので産業上の利用性を有する。
【符号の説明】
【００５５】
１    多機能温灸器具
１０  球状人工鉱石
２０  上面視楕円形筒状木製容器
３０  木製上蓋
４０  布製袋
【図１】
2011161114.tif 000003
【図２】
2011161114.tif 000004
【図３】
2011161114.tif 000005
【図４】
2011161114.tif 000006